(57)【要約】      （修正有）【課題】津波や洪水などの災害が発生したとき、屋根上に脱出し、安全に緊急避難することができる屋根上バルコニー及びそのような屋根上バルコニーを備えた住宅を提供する。【解決手段】居住空間から屋根裏Ｒに昇降する昇降手段２０と、該屋根裏から屋根１０の上に出入りする天窓１８等の開口部と、該屋根上に形成された緊急避難用屋根上バルコニー３０と、を備え、緊急避難用屋根上バルコニーは、屋根上に縦横に組まれ、小屋組みに固定された複数の柱状部材３１と、その柱材部材相互の間を結合する胴縁と、その胴縁に貼られ、壁面を形成する面材と、を備え、屋根上に脱出した避難者を収容する。【選択図】図１
0003180051.tif 000002
【実用新案登録請求の範囲】
【請求項１】
屋根上に縦横に組まれ、小屋組に固定された複数の柱状部材と、該柱材部材相互の間を結合する胴縁と、該胴縁に貼られ、壁面を形成する面材と、を備え、該屋根上に脱出した避難者を収容することを特徴とする緊急避難用屋根上バルコニー。
【請求項２】
前記胴縁は、前記柱状部材に張られた透湿防風シート上から該柱状部材相互の間を接合することを特徴とする請求項１記載の緊急避難用屋根上バルコニー。
【請求項３】
前記面材で囲われた避難スペースに設置された開閉自在な天窓又は該避難スペースに接するドーマーの側窓から脱出した前記避難者を収容することを特徴とする請求項１記載の緊急避難用屋根上バルコニー。
【請求項４】
前記面材で囲われた避難スペースの内壁に、前記避難者がつかむ手摺が設置されたことを特徴とする請求項１記載の緊急避難用屋根上バルコニー。
【請求項５】
居住空間から屋根裏に昇降する昇降手段と、該屋根裏から屋根上に出入りする開口部と、該屋根上に形成された緊急避難用屋根上バルコニーと、を備える住宅であって、
前記緊急避難用屋根上バルコニーは、前記屋根上に縦横に組まれ、小屋組みに固定された複数の柱状部材と、該柱材部材相互の間を結合する胴縁と、該胴縁に貼られ、壁面を形成する面材と、を備え、該屋根上に脱出した避難者を収容することを特徴とする住宅。
【請求項６】
前記開口部は、前記面材で囲われた避難スペースに出入自在に形成された天窓であることを特徴とする請求項５記載の住宅。
【請求項７】
前記開口部は、前記面材で囲われた避難スペースに出入自在に形成されたドーマーの側窓であることを特徴とする請求項５記載の住宅。
【請求項８】
前記昇降手段は、ロフト梯子又は昇降リフトであることを特徴とする請求項５記載の住宅。
【考案の詳細な説明】
【技術分野】
【０００１】
本考案は、津波や洪水などの災害が発生したとき、緊急避難することが可能な屋根上バルコニー及びその屋根上バルコニーを備えた住宅に関するものである。
【背景技術】
【０００２】
従来から、屋根本体に開口部を設け、その開口部周囲に設けた取付構造にドーマーを設置し、その側窓から屋根裏や吹き抜けに自然光を取込むことや、開口部に窓枠を組み込み、その窓枠にガラスを嵌め込んだ天窓から小屋裏や居住空間に自然光を取り込むことが一般的に行われている。その場合、ドーマの正面壁と屋根との間に空間を設ける方法やサッシ窓部を設ける方法が提案されている（特許文献１、特許文献２参照）。また、サッシ窓部を屋根の傾斜方向にスライドさせて開閉する天窓（特許文献３参照）や、住宅の屋根に設置される垂木や母屋にルーフウインドウを一体的に組み込み、現場作業を少なくして工期短縮を図った屋根ユニット（特許文献４参照）などが提案されている。さらに、宅地難等のため敷地を有効活用する必要があることから、傾斜した屋根上にくつろぎ空間を構成する一方、安全に出入りすることができる屋根上デッキ（特許文献５参照）や、勾配屋根の下方に設けて、小屋裏居室に連通させ、ある程度の広さと、十分な採光が得られるルーフバルコニ（特許文献６参照）が提案されている。
他方、2011年3月１１日に発生した東日本大震災以降、ゲリラ豪雨や突然の河川氾濫による大洪水など想定外の災害が頻発しており、それらに備えるため、避難経路の見直し等が図られている。
しかしながら、災害は、昼夜を問わず、いきなりやってくるので、警報等に気づかず、逃げ遅れて巻き込まれる事態が想定される。現に、東日本大震災の大津波に遭遇し、家屋の屋根上に避難したものの、屋根上につかまるところがないために滑り落ちて飲み込まれ、犠牲になった多くの方々の生々しい映像を目のあたりにし、緊急時に、屋根上にスムーズに脱出する脱出口や、屋根上に安全に緊急避難できるスペースを確保する必要性があることを痛感した。
【先行技術文献】
【特許文献】
【０００３】
【特許文献１】特開２００２−２７６０６６号公報
【特許文献２】特開平１０−１６９０７４号公報
【特許文献３】特開２００７−２８５０４３号公報
【特許文献４】特開２０００−２２０２４５号公報
【特許文献５】特開２００１−２４１０９７号公報
【特許文献６】特開２００７−２８４９９８号公報
【考案の概要】
【考案が解決しようとする課題】
【０００４】
本考案は、上記事情に鑑み、津波や洪水などの災害が発生したとき、屋根上に脱出し、安全に緊急避難することができる屋根上バルコニー及びそのような屋根上バルコニーを備えた住宅を提供することを目的とする。
【課題を解決するための手段】
【０００５】
本考案の緊急避難用屋根上バルコニーは、屋根裏を形成する母屋に固定され、屋根上に縦横に組まれた複数の柱状部材と、該柱材部材相互の間を結合する胴縁と、該胴縁に貼られ、壁面を形成する面材と、を備え、該屋根上に脱出した避難者を収容することができることを特徴とする。
このように、屋根上に複数の柱状部材を縦横に組んで母屋に固定し、柱状部材相互間を胴縁で結合した上から面材を貼って壁面を形成しているので、十分な強度を有する。
また、上記胴縁は、上記柱状部材に張られた透湿防風シート上から該柱状部材相互の間を接合すれば、隙間風を防ぐことができる。
そして、上記面材で囲われた避難スペース内に設けられた天窓から脱出した避難者、又は避難スペースに接するドーマーの側窓から脱出した避難者を直接収容することができるので、避難者は、救助が来るまで緊急かつ安全に避難することができる。
さらに上記面材で囲われた避難スペースの内面には、避難者がつかむ手摺が設置しておけば、水平な床面を設けなくても傾斜屋根の上に安全に避難できる。
【０００６】
本考案の住宅は、居住空間から屋根裏に昇降する昇降手段と、該屋根裏から屋根上に出入りする開口部と、該屋根上に形成された緊急避難用屋根上バルコニーと、を備える住宅であって、上記緊急避難用屋根上バルコニーは、上記屋根裏を形成する母屋に固定され、上記屋根上に縦横に組まれた複数の柱状部材と、該柱材部材相互の間を結合する胴縁と、該胴縁に貼られ、壁面を形成する面材と、を備え、該屋根上に脱出した避難者を収容することを特徴とする。
このように、居住空間から屋根裏に昇降する昇降手段、屋根裏から屋根上に出入りする開口部、及び屋根上に形成された緊急避難用屋根上バルコニーを備えれば、津波や洪水に見舞われ、逃げ遅れても、屋根上に容易に脱出し、救助が来るまで安全に避難することができる。
ここで、上記開口部は、上記面材で囲われた避難スペースに出入り自在に形成された天窓であっても、あるいは上記開口部は、上記面材で囲われた避難スペースに出入り自在に形成されたドーマーの側窓であってもよい。
このように、天窓やドーマの側窓を利用して屋根上の避難スペースに避難者を直ちに収容できるので、避難するのが容易かつ安全である。
また、上記昇降手段は、ロフト梯子又は昇降リフトであれば、屋根裏への昇降が容易である
【考案の効果】
【０００７】
本考案の緊急避難用屋根上バルコニー及びその緊急避難用屋根上バルコニーを備えた本考案の住宅によれば、津波や洪水などの際に水に浮く確率の高い屋根の上に、堅牢な避難用バルコニーが設置されているので、逃げ遅れたときでも、屋根裏収納梯子や昇降リフトなどの昇降手段を使って居住空間から天窓やドーマーの側窓から脱出し、救助が来るのを不安なく待つことができる。
【図面の簡単な説明】
【０００８】
【図１】図１は、本考案の第一の実施形態の住宅の断面構造を示す図である。
【図２】図２は、本考案の第一の実施形態の緊急避難用屋根上バルコニーを示す平面図である。
【図３】図３は、本考案の第一の実施形態の緊急避難用屋根上バルコニーを示す側面図である。
【図４】図４は、緊急避難用屋根上バルコニーの骨格を形成する柱材部材の固定方法を一例として示す図である。
【図５】図５は、本考案の第二の実施形態の住宅の断面構造を示す図である。
【図６】図６は、本考案の第二の実施形態の緊急避難用屋根上バルコニーを示す平面図である。
【図７】図７は、本考案の第二の実施形態の緊急避難用屋根上バルコニーを示す正面図である。
【図８】図７は、本考案の第二の実施形態の緊急避難用屋根上バルコニーを示す側面図である。
【考案を実施するための形態】
【０００９】
以下に本考案の実施形態を図に基づいて説明する。
［第一の実施形態］
図1は、本考案の第一の実施形態の住宅の断面構造を示す図である。
本実施形態の住宅は、二階建ての木造住宅であるが、説明の都合上、一階部分は省略されている。
図１に示す住宅１は、母屋１１、垂木１２、野地板などで形成された屋根１０と、その屋根１０を支える梁及び小屋束１３と、その屋根１０と二階の天井部分１５との間に形成された屋根裏Ｒと、二階の天井部分１５に矩形に形成された出入口１６と、その出入口１６を開閉して二階床面２５に降ろし、屋根裏Ｒに昇降する屋根裏収納梯子（本考案の「昇降手段」に相当する。）２０と、屋根裏Ｒから屋根１０の上に脱出する天窓１８と、天窓１８から屋根１０の上に脱出する階段１９と、屋根１０の上に形成された緊急避難用屋根上バルコニー３０とを備えている。
緊急避難用屋根上バルコニー３０は、屋根１０の上に縦横に組まれ、コーナー金具で、母屋１１、梁、小屋束１３（本考案の「小屋組」に相当する。）に結合された複数の柱状部材３１と、最上部に配置された柱材部材３１に固定された笠木手摺３５と、笠木手摺３５よりも下側の壁面３７に固定された内部手摺３６と、壁面を構成するサイディング（本考案の「面材」に相当する。）３７ｃと、を有する。
ここで、本実施形態では、屋根裏Ｒに昇降する昇降手段として、屋根裏収納梯子２０を用いているが、屋根裏収納梯子２０に限定する必要はなく、ロフト梯子であっても、伸縮梯子であっても、あるいはリフトや跳ね上げ階段であってもよい。
【００１０】
図２及び図３は、本考案の第一の実施形態の緊急避難用屋根上バルコニーを示す平面図及び側面図である。
図２及び図３に示すように、本実施形態の緊急避難用屋根上バルコニー３０は、木造住宅の寄棟屋根の一つの傾斜面１０ａに設置される。
緊急避難用屋根上バルコニー３０は、矩形に組まれ、コーナ金具で母屋１１などの小屋組に固定された複数の柱状部材３１と、その柱材部材３１に張り付けた透湿防風シート３７ａと、その透湿防風シート３７ａの上から柱状部材３１相互間を縦方向に結合する胴縁３７ｂと、それらの胴縁に固定することにより壁面３７を構成するサイディング３７ｃとにより形成されている。
そして、サイディング３７ｃで囲まれた避難スペースＳに接する壁面３７上段には避難者がつかむ内部手摺３６が固定され、最上部に配置された柱材部材３１には笠木手摺３５が固定されている。
矩形の避難スペースＳ内には、開閉自在な天窓１８が設置されているので、緊急時に、屋根裏Ｒ側から天窓１８を開け、屋根１０の上に設けた緊急避難用屋根上バルコニー３０に直ちに避難することができる。また、緊急避難用屋根上バルコニー３０の壁面３７は、透湿防風シート３７ａとサイディング３７ｃとで覆われているので、避難者が風にさらされるのを防止できる。さらに、緊急避難用屋根上バルコニー３０には屋根がないので、避難者をヘリコプターなどで容易に救助することができる。なお、屋根が設けてないことから、屋根１０の下流側の壁面３７には、雨水を逃がす水抜き穴（図に現れていない）が設けてある。
【００１１】
図４は、緊急避難用屋根上バルコニーの骨格を形成する柱材部材の固定方法を一例として示す図である。
図４に示すように、緊急避難用屋根上バルコニー３０の骨格を形成する、縦横に組まれた柱材部材３１は、コーナ金具３２で小屋組に固定され、屋根１０に固定されている。柱材部材３１相互間は胴縁３７ｂで縦方向に結合され、サイディング３７ｃで壁面３７が形成されているので、十分な強度を有する。なお、屋根１０は、野地板及び屋根材１０ａで覆われている。
なお、本実施形態の住宅は、二階建てであるが、必ずしも二階建てに限る必要はなく、平屋であっても、三階建てであってもよい。また、緊急避難用屋根上バルコニー３０は、全体を屋根１０の上に設ける必要はなく、屋根１０から張り出して設けてもよいし、床面を設けてもよい。
【００１２】
［第二の実施形態］
本実施形態の住宅は、ドーマーを備え、ドーマーの側窓を屋根裏から屋根上への出入りに使用できる点、ドーマーの側窓側の面を緊急避難用屋根上バルコニーの壁面と兼用することができる点は第二の実施形態の住宅と相違するが、緊急避難用屋根上バルコニーの骨格を形成する柱状部材の固定方法等は共通する。従って、相違する点を中心に説明する。
図５は、本考案の第二の実施形態の住宅の断面構造を示す図である。
本実施形態の住宅も、二階建ての木造住宅であるが、説明の都合上、一階部分は省略されている。
図５に示す住宅２は、母屋１２と垂木１２と野地板などで形成された切妻屋根（ここでは、切妻屋根の一部のみが現れている。）４０と、その切妻屋根４０を支える小屋束１３と、切妻屋根４０の一部に開口部を設け、その開口部に切妻屋根４０のこう配と逆向き勾配の片流屋根５１を設けたドーマー５０と、その片流屋根５１と二階の天井部分１５との間に形成された屋根裏Ｒと、二階の天井部分１５に矩形に形成された出入口１６と、その出入口１６にフックを掛けて屋根裏Ｒに昇降するロフト梯子（本考案の「昇降手段」に相当する。）２１と、切妻屋根４０の上に形成された緊急避難用屋根上バルコニー６０とを備えている。また、ドーマー５０には、正面に開閉自在な窓部（本考案の「側窓」に相当する。）５５が設けてある。
ドーマー５０の片流屋根５１は、母屋１１と垂木１２と野地板などで形成され、母屋１１は、二階の梁に固定されて立設された小柱５２に支持されている。なお、出入口１６直上の小柱５２には、昇降リフトのウインチを吊るす吊部材５３が設置されている。
緊急避難用屋根上バルコニー６０は、切妻屋根４０の上に縦横に組まれ、母屋１１などの小屋組みにコーナ金具等で固定された複数の柱状部材３１と、最上部に配置された柱材部材３１に固定された笠木手摺３５と、笠木手摺３５よりも下側の壁面３７に固定された内部手摺３６と、壁面３７を構成するサイディング（本考案の「面材」に相当する。）３７ｃと、を有し、ドーマー５０の窓部５５を含む正面を壁面３７の一部となして、コの字形に形成されている。
本実施形態では、屋根裏Ｒに昇降する昇降手段として、ロフト梯子又は昇降リフトを用いているが、必ずしもそれらに限定されず、屋根裏収納梯子や伸縮梯子、跳ね上げ梯子であっても、あるいはロフトや階段であってもよい。
【００１３】
図６〜図８は、本考案の第二の実施形態の緊急避難用屋根上バルコニーを示す図であり、図６は、平面図、図７は正面図、図８は側面図である。
図６及び図７において、矢印は、屋根の傾斜勾配の方向を示している。
図６〜図８に示す住宅は、切妻屋根４０の一つの傾斜面に、切妻屋根４０とは逆向きの勾配を有する片流屋根５１型のドーマー５０が設置され、ドーマー５０の正面には、開閉自在な窓部５５が設けられている。本実施形態の緊急避難用屋根上バルコニー６０の平面形状は、図６に示すように、ドーマー５０の正面を壁面３７の一部となして、コの字形をなしている。従って、避難者は、壁面３７の一部をなした窓部５５から直ちに緊急避難用屋根上バルコニー６０の避難スペースＳに脱出することができる。
緊急避難用屋根上バルコニー６０は、コの字形に組まれ、コーナー金具で切妻屋根４０の母屋１１などの小屋組に固定された複数の柱状部材３１と、その柱材部材３１に張り付けた透湿防風シート３７ａと、その透湿防風シート３７ａの上から柱状部材３１相互間を縦方向に結合する胴縁３７ｂと、それらの胴縁３７ｂに固定されて壁面３７を構成するサイディング３７ｃとにより形成される。
そして、サイディング３７ｃで囲まれた避難スペースＳの内面に接する壁面３７上段には避難者がつかむ内部手摺３６があり、最上部に配置された柱材部材３１には、笠木手摺３５が固定されている。
本実施形態の緊急避難用屋根上バルコニー６０も、第一の実施形態の緊急避難用屋根上バルコニー３０と同様に屋根がないので、下流側の壁面３７下部には雨水を逃がす水抜き穴（図に現れない）が設けてある。また壁面３７が、透湿防風シート３７ａとサイディング３７ｃとで覆われているので、隙間風を防ぐことができる。さらに、屋根がないので、避難者をヘリコプターなどで容易に救助することができる。
本実施形態の緊急避難用屋根上バルコニー６０を、片流れ屋根５１を有する片流れ型ドーマーの住宅について説明したが、ドーマーは、片流れ型に限定する必要はなく、切妻型であっても、陸屋根型であっても、三角形型であっても、蒲鉾型であってもよい。また、緊急避難用屋根上バルコニー６０は、全体を屋根上に設ける必要はなく、屋根から一部が張り出すようにしてもよいし、避難スペースＳに床面を設けることにしてもよい。
【符号の説明】
【００１４】
１、２    住宅
１０      屋根
１０ａ    屋根材
１１      母屋
１２      垂木
１３      小屋束
１５      天井部分
１６      出入口
１８      天窓
１９      階段
２０      屋根裏収納梯子
２１      ロフト梯子
２５      ２階床面
３０、６０  緊急避難用バルコニー
３１      柱状部材
３２      コーナー金具
３５      笠木手摺
３６      内部手摺
３７      壁面
３７ａ    透湿防風シート
３７ｂ    胴縁
３７ｃ    サイディング  
４０    切妻屋根
５０    ドーマー
５１    片流屋根
５３    吊部材
５５    窓部
Ｒ      屋根裏
Ｓ      避難スペース
ｚ
【図１】
0003180051.tif 000003
【図２】
0003180051.tif 000004
【図３】
0003180051.tif 000005
【図４】
0003180051.tif 000006
【図５】
0003180051.tif 000007
【図６】
0003180051.tif 000008
【図７】
0003180051.tif 000009
【図８】
0003180051.tif 000010